(57)【要約】【課題】  簡易な操作で確実に内容物の計量ができ、しかも計量機構の構造がシンプルで、低いコストで製造できる計量機構付きキャップを提供すること。【解決手段】  円筒状の外キャップの内側に有頂円筒状の内栓を備え、外キャップは、容器口部に螺合するネジ部と、内方に押圧変形可能な胴部と、胴部上部に開閉自在に設けられた蓋体とから構成し、  内栓は、外周壁を外キャップの内面に沿って設け、外周壁下端を容器口部に密着させ、外周壁の上部に頂壁を設け、頂壁の上面を凹状に湾曲させるとともに該頂壁に直径方向にスリットを設けて、計量機構付きキャップを構成した。【選択図】図１
2006151459.tif 000002
【特許請求の範囲】
【請求項１】
容器口部に組付け、容器内に収納された内容物を計量して外部に所定量流出させる計量機構付きキャップにおいて、
円筒状の外キャップの内側に有頂円筒状の内栓を備え、
外キャップは、容器口部に螺合するネジ部と、内方に押圧変形可能な胴部と、胴部上部に開閉自在に設けられた蓋体とから構成し、
内栓は、外キャップの内面に沿った外周壁を備え、該外周壁下端を容器口部に密着させ、かつ外周壁の上部に設けられた頂壁の上面を凹状に湾曲させるとともに該頂壁にスリットを直径方向に設けた計量機構付きキャップ。
【請求項２】
スリットの両端部に対向した外キャップの外面を、該外キャップの押圧箇所とした請求項１に記載の計量機構付きキャップ。
【請求項３】
押圧箇所にマークを印した請求項２に記載の計量機構付きキャップ。
【発明の詳細な説明】
【技術分野】
【０００１】
本発明は計量機構を備え、簡易な操作で内容物を計量して取り出すことができ、しかも構造がシンプルで、製造コストの低い計量機構付きキャップに関する。
【背景技術】
【０００２】
洗剤などを収納した容器では計量機構を備えたキャップを口部に組み付け、容器から所定量ずつの洗剤を取り出せるようにしたものが知られている。
【０００３】
例えば、容器の口部に計量器を回動自在に備え、計量器を回動させるとカムにより計量器が上昇し、それにより弁体を押し上げて弁体のスリットを開放させ、内容物が計量器内に流入するようにした粉粒体計量容器が知られている。
【０００４】
【特許文献１】特開平１０−７１７６号公報
【発明の開示】
【発明が解決しようとする課題】
【０００５】
しかしながら上記粉粒体計量容器は、カム機構を備えて計量するなど構造が複雑で、部品点数が多く、製造コストが高かった。またカム機構を作動させて弁体を開閉させるため操作中にとまどいが生じたり、更には誤った使い方をするおそれもあった。
【０００６】
本発明は、簡易な操作で確実に内容物の計量ができ、しかも構造がシンプルで、部品点数が少なく、低いコストで製造できる計量機構付きキャップを提供することを目的とする。
【課題を解決するための手段】
【０００７】
本発明は上記課題を解決するため、計量機構付きキャップを次のように構成した。
【０００８】
円筒状の外キャップの内側に有頂円筒状の内栓を備え、外キャップは、容器口部に螺合するネジ部と、内方に押圧変形可能な胴部と、胴部上部に開閉自在に設けられた蓋体とから構成し、
内栓は、外キャップの内面に沿った外周壁を備え、該外周壁下端を容器口部に密着させ、かつ外周壁の上部に設けた頂壁の上面を凹状に湾曲させるとともに該頂壁にスリットを直径方向に設けて、計量機構付きキャップを構成した。
【０００９】
外キャップは樹脂により形成され、胴部側壁が横方向から押圧されると内方に変形する。この変形可能な箇所は、胴部の全周に均等に形成しても、あるいは押圧によりスリットが最も広く開口される方向など特定の方向に限定してもよい。またいずれの場合も、スリットが最も広く開口される方向から押圧がなされるように、胴部に押圧箇所の印をつけ、外キャップが常に押圧箇所で押圧されるようにする。
【００１０】
外キャップの蓋体は胴部の全体を開閉させるものでも、胴部の上端に頂板を備え、その頂板に開口された取出口を開閉させるようにしてもよい。更に蓋体は、容器を下向にして蓋体に内容物の重さが加わっても、かかる重みだけでは開放されることがないように係合機構などにより十分に係合されている。尚蓋体はヒンジで結合させ、胴部などとともに外キャップとして一体に樹脂成形することが好ましい。
【００１１】
内栓は樹脂製で弾性を有し、通常閉じた状態でスリットが形成してあり、側方から内栓が変形されるとスリットが開放される。またスリットは、容器を下向にして内容物の重さが加えられてもそれにより開いて内容物を流出させることはない。
【００１２】
内栓は、外キャップの側面を変形するとその作用がおよび、内方に変形してスリットが開放される。特にスリットの両端から内方に向けて内栓を押圧すると、スリットが大きく開放される。
【００１３】
かかる計量機構付きキャップを組み付けた容器では、容器の口部を下に向け、外キャップの側面を両側から押圧するとスリットが開放され、外キャップと内栓の間に内容物が充填される。そして外キャップの押圧を離して蓋体を開くと計量された内容物が容器から取り出される。
【発明の効果】
【００１４】
本発明の計量機構付きキャップは、次の効果を有する。
【００１５】
計量機構付きキャップは、外キャップと内栓とからなるシンプルな構造で構成されているため、部品点数が少なく、また組付けが容易で、製造コストを大幅に低減でき、安い価格で提供できる。更に外キャップ及び内栓は、それぞれ樹脂による一体成形で形成でき、これにより製造コストをより低減できる。
【００１６】
更に計量機構付きキャップは簡易な操作で内容物を計量し、所定量の内容物を容器から確実に取り出すことができる。
【００１７】
すなわち容器を下向にして外キャップを側面から押圧する。そして外キャップ側面の押圧を離して蓋体を開くだけで、外キャップから正確に計量された内容物を取り出すことができる。
【発明を実施するための最良の形態】
【００１８】
計量機構付きキャップの一実施形態について説明する。
【００１９】
計量機構付きキャップ２は、図２に示すように円筒状の外キャップ４と有頂円筒状の内栓６とから構成してあり、図６に示すように、容器３０の口部３２に組み付けて使用される。
【００２０】
外キャップ４は樹脂製で、図１に示すようにネジ部９を有する胴部８と、胴部８の上端に形成された頂板１０、頂板１０上に開閉自在に取り付けられた蓋体１２から構成されている。
【００２１】
胴部８は弾性変形可能で、胴部８の側壁を両側より挟んで押圧すると内側に変形する。また胴部８の側壁には、蓋体１２の開閉方向と直角な方向にそれぞれ円形のマーク１７が形成してある。尚胴部８において押圧変形可能な箇所を限定し、その箇所にマーク１７や突部などを設けるようにしてもよい。
【００２２】
胴部８の頂板１０には取出口１４が設けてあり、蓋体１２の裏面に形成された筒栓１６が取出口１４に嵌め合わせてある。
【００２３】
蓋体１２は頂板１０の一方の端部にヒンジ１３で開閉自在に取り付けられており、蓋体１２を閉じると筒栓１６が取出口１４に挿入され、しかも蓋体１２の係合部１５が適度なクリック感でヒンジ１３の対向した端部に形成された係合部１１に係合される。係合部１１と１５は、容器３０を下に向けて筒栓１６に内容物の重みが加えられてもそれだけでは蓋体１２が開くことがないように蓋体１２を保持している。
【００２４】
内栓６は弾性を有する樹脂製で、柔軟性に富み、外周壁２０が外キャップ４の内面にちょうど収まるように形成してある。外周壁２０の上部には頂壁２２が形成してあり、頂壁２２の上面は容器３０側に凹む湾曲面に形成してある。頂壁２２と外キャップ４の頂板１０との間は離してあり、この間に形成された空間が内容物の計量部分となる。
【００２５】
また頂壁２２の中央にはスリット２４が直径方向に形成してある。スリット２４は、その両端部を、胴部８に設けられたマーク１７に対向するように外キャップ４に取り付けてある。スリット２４は通常閉じており、容器３０を下に向けて内容物の重みが内栓６に加えられてもそれだけでは開くことがないように形成されている。また内栓６を変形、特にスリット２４の両端から内側に向けて内栓６を変形させると、スリット２４は大きく開放される。
【００２６】
次に計量機構付きキャップ２を組み付けた容器３０での内容物の取り出しについて説明する。
【００２７】
内容物は例えば洗剤などであり、粉粒状でも液状のものでもよい。容器３０に内容物を充填した後口部３２に計量機構付きキャップ２をネジ止めする。内栓６は外キャップ４の内面に沿うように取り付けられ、内栓６の下端は、外キャップ４のネジ部９に押圧され容器３０の口部３２に密着している。
【００２８】
内容物を取り出すときは、図３に示すように容器３０を転倒させ、口部３２を下向きにする。スリット２４は閉じているので、内栓６の頂壁２２で内容物が支えられ、落下しない。
【００２９】
次に外キャップ４のマーク１７を両側より押圧し（紙面に対して表裏方向となる。）、胴部８を内側に変形させる。すると内栓６が変形し図４に示すようにスリット２４が開き、内容物が外キャップ４の内部に流入する。外キャップ４の内部が内容物で充填されたら、胴部８の押圧を離し、スリット２４を閉じる。
【００３０】
そして蓋体１２を開くと外キャップ４の内部に充填された内容物が取出口１４より図５に示すように取り出される。取出口１４から取り出される内容物は、計量部分内に収納されていた分であるので、常に一定の内容物を計量して取り出すことができる。
【００３１】
また、内容物を取り出した後は、容器３０を立てて保管する。保管中はスリット２４および蓋体１２が閉じられているので、湿気や異物が混入したりせず、また容器３０を転倒させた場合でも内容物が流出することはない。
【図面の簡単な説明】
【００３２】
【図１】本発明にかかる計量機構付きキャップの一実施形態を示した図である。
【図２】本発明にかかる計量機構付きキャップの一実施形態を示した分解斜視図である。
【図３】使用状態を示した断面図である。
【図４】使用状態を示した断面図である。
【図５】使用状態を示した断面図である。
【図６】計量機構付きキャップを容器に組みつけた状態を示した斜視図である。
【符号の説明】
【００３３】
２    計量機構付きキャップ
４    外キャップ
６    内栓
８    胴部
９    ネジ部
１０  頂板
１１  係合部
１２  蓋体
１３  ヒンジ
１４  取出口
１５  係合部
１６  筒栓
１７  マーク
２０  外周壁
２２  頂壁
２４  スリット
３０  容器
３２  口部
【図１】
2006151459.tif 000003
【図２】
2006151459.tif 000004
【図３】
2006151459.tif 000005
【図４】
2006151459.tif 000006
【図５】
2006151459.tif 000007
【図６】
2006151459.tif 000008